(57)【要約】  【課題】  不使用時の保管性を向上させた揺動可能な折り畳みベッドを提供する。  【解決手段】  一対の支持体１０，１０と、一対の支持体１０，１０に支持された一対の保持部材２０，２２と、一対の保持部材２０，２２に取り付けられた寝床部材３０とを備え、一対の保持部材２０，２２は、一対の支持体１０，１０に回動可能に取り付けられており、寝床部材３０を揺動可能に保持する折り畳みベッド１である。寝床部材３０は、両端部が一対の保持部材２０，２２に取り付けられる可撓性のシート体から形成することができる。【選択図】  図１
2020010740.tif 000002
【特許請求の範囲】
【請求項１】
一対の支持体と、一対の前記支持体に支持された一対の保持部材と、一対の前記保持部材に取り付けられた寝床部材とを備え、
一対の前記保持部材は、一対の前記支持体に回動可能に取り付けられており、前記寝床部材を揺動可能に保持する折り畳みベッド。
【請求項２】
前記寝床部材は、両端部が一対の前記保持部材に取り付けられる可撓性のシート体からなり、
一対の前記保持部材は、前記寝床部材を拡げた状態を維持できるように一対の前記支持体に係止されると共に、前記シート体を折り畳むように回動する請求項１に記載の折り畳みベッド。
【請求項３】
一対の前記保持部材は、前記寝床部材を拡げた状態から前記両端部同士を接近させて折り畳むように回動する請求項２に記載の折り畳みベッド。
【請求項４】
一対の前記保持部材は、前記寝床部材を拡げた状態から前記両端部に沿って折り畳むように回動する請求項２に記載の折り畳みベッド。
【請求項５】
一対の前記支持体は、取付部を有する本体と、前記本体の両側に配置された一対の可動体とをそれぞれ備え、前記各取付部の間に一対の前記保持部材を回動可能に支持しており、
一対の前記可動体は、不使用時に一対の前記保持部材を挟持するように、前記本体に対して回動可能に設けられている請求項１から４のいずれかに記載の折り畳みベッド。
【請求項６】
前記支持体は、前記保持部材と係合する移動可能な係止部材を備えており、
前記係止部材の移動によって前記保持部材の傾斜角度を調整することができる請求項１から５のいずれかに記載の折り畳みベッド。
【発明の詳細な説明】
【技術分野】
【０００１】
本発明は、折り畳みベッドに関し、より詳しくは、乳幼児等の揺動ベッドとして好適に使用できる折り畳みベッドに関する。
【背景技術】
【０００２】
乳幼児用のベッドは、乳幼児の寝付きを良くするために揺動可能な構成が従来から知られている。例えば特許文献１には、揺り籠の両端部がコイルスプリングによりベッドフレームの内部に吊り下げ支持されたスイング式乳児ベッドが開示されている。
【先行技術文献】
【特許文献】
【０００３】
【特許文献１】特開２０００−３４２３８６号公報
【発明の概要】
【発明が解決しようとする課題】
【０００４】
乳児用ベッドに対しては、不使用時には病院や家庭等でコンパクトな状態で保管できることが求められている。ところが、従来の揺動ベッドは嵩張らないように折り畳むことが困難であり、この改善が必要とされていた。
【０００５】
そこで、本発明は、不使用時の保管性を向上させた揺動可能な折り畳みベッドの提供を目的とする。
【課題を解決するための手段】
【０００６】
本発明の前記目的は、一対の支持体と、一対の前記支持体に支持された一対の保持部材と、一対の前記保持部材に取り付けられた寝床部材とを備え、一対の前記保持部材は、一対の前記支持体に回動可能に取り付けられており、前記寝床部材が寝床を形成した状態を保持できるように係止される折り畳みベッドにより達成される。
【０００７】
この折り畳みベッドにおいて、前記寝床部材は、両端部が一対の前記保持部材に取り付けられる可撓性のシート体からなることが好ましく、一対の前記保持部材は、前記寝床部材を拡げた状態を維持できるように係止されると共に、前記寝床部材を折り畳むように回動することが好ましい。この構成において、一対の前記保持部材は、前記寝床部材を拡げた状態から前記両端部同士を接近させて折り畳むように回動することが好ましい。あるいは、  一対の前記保持部材は、前記寝床部材を拡げた状態から前記両端部に沿って折り畳むように回動することが好ましい。
【０００８】
また、一対の前記支持体は、取付部を有する本体と、前記本体の両側に配置された一対の可動体とをそれぞれ備え、前記各取付部の間に一対の前記保持部材を回動可能に支持することが好ましく、一対の前記可動体は、不使用時に一対の前記保持部材を挟持するように、前記本体に対して回動可能に設けられていることが好ましい。
【０００９】
また、前記支持体は、前記保持部材と係合する移動可能な係止部材を備えることが好ましく、前記係止部材の移動によって前記保持部材の傾斜角度を調整することができる。
【発明の効果】
【００１０】
本発明によれば、不使用時の保管性を向上させた揺動可能な折り畳みベッドを提供することができる。
【図面の簡単な説明】
【００１１】
【図１】本発明の一実施形態に係る折り畳みベッドの正面図である。
【図２】図１に示す折り畳みベッドの平面図である。
【図３】図１に示す折り畳みベッドを折り畳んだ状態を示す正面図である。
【図４】図３に示す折り畳みベッドを更に折り畳んだ状態を示す正面図である。
【図５】図１に示す折り畳みベッドの使用例を示す正面図である。
【図６】本発明の他の実施形態に係る折り畳みベッドの正面図である。
【図７】本発明の更に他の実施形態に係る折り畳みベッドの平面図である。
【図８】本発明の更に他の実施形態に係る折り畳みベッドの正面図である。
【図９】本発明の更に他の実施形態に係る折り畳みベッドの正面図である。
【発明を実施するための形態】
【００１２】
以下、本発明の実施の形態について、添付図面を参照して説明する。図１は、本発明の一実施形態に係る折り畳みベッドの正面図であり、図２は、図１に示す折り畳みベッドの平面図である。図１および図２に示すように、折り畳みベッド１は、一対の支持体１０，１０と、一対の支持体１０，１０の間に支持された一対の保持部材２０，２２と、一対の保持部材２０，２２に取り付けられた寝床部材３０とを、主な構成要素として備えている。本実施形態の折り畳みベッド１は、新生児用であり、新生児を収容する透明なケースＣを寝床部材３０の上面に載置して使用することができる。但し、新生児以外の乳児用や幼児用、更には成人用として使用することも可能であり、ケースＣの代わりに布団やマット等を寝床部材３０に敷いて使用することもできる。
【００１３】
一対の支持体１０，１０は、互いに同じ構成であり、図１では一方の支持体１０が示されている。支持体１０は、本体１１と、本体１１の両側に配置された一対の可動体１３ａ，１３ｂとを備えている。本体１１および一対の可動体１３ａ，１３ｂは、金属パイプや樹脂パイプ等から構成することができる。
【００１４】
本体１１は、床面Ｆに対して垂直に延びるように形成されており、長手方向に沿って３つの取付部１２ａ，１２ｂ，１２ｃが間隔をあけて固定されている。一番上の取付部１２ａには、一対の保持部材２０，２２の基端部が回動軸１５ａ、１５ｂを介して回動自在に支持されている。取付部１２ａの両側には筒状の回動支持部１６ａ，１６ｂが設けられている。
【００１５】
真ん中の取付部１２ｂには、矩形平板状の底板を有する補助板４０，４２の基端部が、回動軸１５ｃ，１５ｄを介して回動自在に支持されている。取付部１２ｂの両側には筒状の回動支持部１６ｃ，１６ｄが設けられている。一番下の取付部１２ｃの両側には筒状の回動支持部１６ｅ，１６ｆが設けられている。
【００１６】
一対の可動体１３ａ，１３ｂは、湾曲状のパイプを複数連結して構成されており、各取付部１２ａ〜１２ｃの回動支持部１６ａ〜１６ｆに挿通されることにより、水平方向に回動自在となるように本体１１に支持されている。一対の可動体１３ａ，１３ｂの上部には、それぞれ係止部１７ａ，１７ｂが設けられている。係止部１７ａ，１７ｂは、一対の保持部材２０，２２と係合して、一対の保持部材２０，２２を水平な状態に保持する。また、一対の可動体１３ａ，１３ｂにおける係止部１７ａ，１７ｂの下方には、補助板４０，４２を係止する係止部１７ｃ，１７ｄがそれぞれ設けられており、補助板４０，４２が水平な状態に保持される。一対の可動体１３ａ，１３ｂの最下部には、自在式のキャスター１４ａ，１４ｂが設けられている。
【００１７】
一対の保持部材２０，２２は、帯状の部材をコ字状に湾曲させた形状を有しており、帯状の両端部となる基端部が一対の支持体１０，１０に支持されている。一対の保持部材２０，２２は、両側部２４ａ；２４ｂ，２４ａ；２４ｂが係止部１７ａ，１７ｂに係止されて同一の水平面に沿って保持され、係止部１７ａ，１７ｂよりも上方に回動可能とされている。一対の保持部材２０，２２は、寝床部材３０を保持可能な形状であればよく、例えば、それぞれを複数の棒状体から構成し、各棒状体が一対の支持体１０，１０に支持される構成であってもよい。
【００１８】
寝床部材３０は、布や合成樹脂等により矩形状に形成された可撓性のシート体であり、長手方向の両端部３１，３２が、一対の保持部材２０，２２の先端部２１，２３に、それぞれスナップボタン等の公知の留め具によって着脱可能に取り付けられている。寝床部材３０は、一対の保持部材２０，２２が水平に保持された状態で若干の弛みが生じるように支持されている。シート体は、金網シート、ゴムシート、メッシュシート等であってもよい。
【００１９】
本実施形態の折り畳みベッド１は、寝床部材３０が可撓性を有することにより、寝床部材３０に搭載されたケースＣを、寝床部材３０の長手方向に沿って寝床部材３０と共に緩やかに揺動させることができる。寝床部材３０は、本実施形態では長手方向両端部３１，３２を一対の保持部材２０，２２の先端部２１，２３に取り付けているが、短手方向両端部を、一対の保持部材２０，２２の両側部２４ａ；２４ｂ，２４ａ；２４ｂにそれぞれ取り付けて、寝床部材３０およびケースＣを短手方向に沿って揺動させることも可能である。あるいは、寝床部材３０の四辺にそれぞれ取付部を設けて、一対の保持部材２０，２２の取り付けに使用する取付部を使用者が適宜選択することにより、寝床部材３０を所望の方向に揺動させることができる。なお、補助板４０には、備品等を載置することができる。
【００２０】
一方、折り畳みベッド１の不使用時には、図３に示すように、ケースＣを取り除いた状態で、一対の保持部材２０，２２および補助板４０，４２を、互いに対向するように上方に回動させる。これにより、寝床部材３０の両端部３１，３２同士が接近して、寝床部材３０を拡げた状態から長手方向中央部で折り畳むことができるので、折り畳みベッド１をコンパクトな状態にして、保管性を高めることができる。
【００２１】
更に、折り畳みベッド１は、図４に示すように、寝床部材３０を折り畳むように回動させた一対の保持部材２０，２２を挟持するように、一対の可動体１３ａ，１３ｂを水平方向に回動させることにより、折り畳みベッド１をよりコンパクトな状態で保管することができる。
【００２２】
また、折り畳みベッド１は、図１に示す寝床部材３０に載置するケースＣを、図５に示すように、長手方向に沿って若干移動させることにより、ケースＣを水平方向に対して傾斜させることができるので、ケースＣに収容された乳児の様子を外部から見やすくすることができる。
【００２３】
以上、本発明の一実施形態について詳述したが、本発明の具体的な態様は上記実施形態に限定されない。例えば、図１に示す係止部１７ａ，１７ｂに代えて、図６に示すように、係止部材１７ｅ，１７ｆを一対の可動体１３ａ，１３ｂにそれぞれ移動可能に設けてもよい。係止部材１７ｅ，１７ｆは、可動体１３ａ，１３ｂを構成するパイプに沿って上下方向に摺動するように外嵌された筒状の部材であり、一対の保持部材２０，２２に係合可能とされている。可動体１３ａ，１３ｂに対する係止部材１７ｅ，１７ｆの位置は、ロックボルト１７ｆ，１７ｈの締め込みにより固定することができる。なお、図６において、図１等と同様の構成部分には同一の符号を付している（以下の図面においても同様）。
【００２４】
図６に示す折り畳みベッド１によれば、一対の保持部材２０，２２の一方または双方が任意の角度で傾斜した状態を維持することができるので、寝床部材３０に載置するケースＣの傾斜角度を、所望の角度に容易に調整することができる。
【００２５】
また、本実施形態においては、寝床部材３０が一対の保持部材２０，２２に取り付けられた両端部３１，３２が、一対の保持部材２０，２２の回動により互いに接近して寝床部材３０が折り畳まれるように構成しており、これによって寝床部材３０を容易且つ確実に折り畳むことができる。但し、図７に示すように、矩形状に形成された寝床部材３０の長手方向の両端部３３ａ；３３ｂ，３３ａ；３３ｂを、一対の保持部材２０，２２の両側部２４ａ；２４ｂ，２４ａ；２４ｂにそれぞれ取り付けて、一対の保持部材２０，２２の回動により、寝床部材３０が両端部３３ａ；３３ｂ，３３ａ；３３ｂに沿って折り畳まれるように構成することもできる。図７に示す寝床部材３０は、向きを９０度変えて、短手方向の両端部を一対の保持部材２０，２２の両側部２４ａ；２４ｂ，２４ａ；２４ｂに取り付けることにより、寝床部材３０が長手方向に沿って折り畳まれるように構成してもよい。
【００２６】
一対の支持体１０，１０による一対の保持部材２０，２２の支持構造についても特に限定されるものではなく、一対の保持部材２０，２２の回動により寝床部材３０を折り畳み可能に構成されていればよい。例えば、図８（ａ）に示す折り畳みベッド１０１は、一対の保持部材１２０，１２２の基端部が、回動軸１１５ａ，１１５ｂを介して一対の支持体１１０，１１０に回動可能に支持される一方、一対の保持部材１２０，１２２の先端部同士が、回動軸１２６を介して回動可能に連結されている。寝床部材３０は、両端部３３ａ；３３ｂ（図８では一方の端部のみが示されている）が、一対の保持部材１２０，１２２の両側部１２４ａ；１２４ｂ（図８では一方の側部のみが示されている）に取り付けられている。
【００２７】
上記の構成を備える折り畳みベッド１０１は、図８（ａ）に示すように、一対の保持部材１２０，１２２が水平に延びるように互いに係止された状態から、図８（ｂ）に示すように、一対の保持部材１２０，１２２の中央に配置された回動軸１２６を上昇させるように、一対の保持部材１２０，１２２を回動させることにより、一対の支持体１１０，１１０が互いに接近し、寝床部材３０を折り畳むことができる。
【００２８】
また、寝床部材３０は、一対の保持部材２０，２２により揺動可能に保持されるものであればよく、必ずしも本実施形態のようなシート体に限定されるものではない。例えば、図９（ａ）に示すように、寝床部材１３０を、全体形状がコ字状に形成された一対の枠体１３１，１３２を備える構成として、一対の枠体１３１，１３２が、それぞれ一対の保持部材２０，２２に支軸１３３，１３４を中心として揺動可能に支持されてもよい。この構成によれば、一対の保持部材２０，２２が水平に保持された状態では、一対の保持部材２０，２２から垂下する一対の枠体１３１，１３２にケースＣを搭載して、一対の枠体１３１，１３２を緩やかに揺動させることができる。
【００２９】
一方、折り畳みベッド１の不使用時には、図９（ｂ）に示すように、ケースＣを取り除いて、一対の保持部材２０，２２を互いに対向するように上方に回動させる。一対の保持部材２０，２２の回動に伴い、一対の枠体１３１，１３２は、垂下した姿勢を維持しながら一対の保持部材２０，２２に対しては相対的に回動するため、折り畳みベッド１をコンパクトに折り畳むことができる。一対の枠体１３１，１３２は、チェーン状に形成して両端部を一対の保持部材２０，２２にそれぞれ固定することも可能であり、この場合も、一対の保持部材２０，２２に対して、一対の枠体１３１，１３２を揺動可能に保持することができる。枠体１３１，１３２は、一対の保持部材２０，２２に対して間隔をあけて３つ以上設けることも可能である。
【符号の説明】
【００３０】
１  折り畳みベッド
１０  支持体
１１  本体
１２ａ  取付部
１３ａ，１３ｂ  可動体
１４ａ，１４ｂ  キャスター
１５ａ，１５ｂ  回動軸
１６ａ，１６ｂ  回動支持部
１７ａ，１７ｂ  係止部
１７ｅ，１７ｇ  係止部材
２０，２２  保持部材
３０  寝床部材
３１，３２  両端部
【図１】
2020010740.tif 000003
【図２】
2020010740.tif 000004
【図３】
2020010740.tif 000005
【図４】
2020010740.tif 000006
【図５】
2020010740.tif 000007
【図６】
2020010740.tif 000008
【図７】
2020010740.tif 000009
【図８】
2020010740.tif 000010
【図９】
2020010740.tif 000011
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
一対の支持体と、一対の前記支持体の間に支持された一対の保持部材と、一対の前記保持部材に取り付けられた寝床部材とを備え、
一対の前記保持部材は、一対の前記支持体に回動可能に取り付けられており、前記寝床部材を揺動可能に保持し、
前記寝床部材は、両端部が一対の前記保持部材に取り付けられる可撓性のシート体からなり、
一対の前記保持部材は、前記寝床部材を拡げた状態を維持できるように一対の前記支持体に係止されると共に、前記シート体を折り畳むように回動し、
一対の前記支持体は、取付部を有する本体と、前記本体の両側に配置された一対の可動体とをそれぞれ備え、前記各取付部の間に一対の前記保持部材を回動可能に支持しており、
一対の前記可動体は、不使用時に一対の前記保持部材を挟持するように、前記本体に対して回動可能に設けられている折り畳みベッド。
【請求項２】
一対の支持体と、一対の前記支持体の間に支持された一対の保持部材と、一対の前記保持部材に取り付けられた寝床部材とを備え、
一対の前記保持部材は、一対の前記支持体に回動可能に取り付けられており、前記寝床部材を揺動可能に保持し、
前記寝床部材は、両端部が一対の前記保持部材に取り付けられる可撓性のシート体からなり、
一対の前記保持部材は、前記寝床部材を拡げた状態を維持できるように一対の前記支持体に係止されると共に、前記シート体を折り畳むように回動し、
前記支持体は、前記保持部材と係合する移動可能な係止部材を備えており、
前記係止部材の移動によって前記保持部材の傾斜角度を調整することができる折り畳みベッド。
【請求項３】
一対の前記保持部材は、前記寝床部材を拡げた状態から前記両端部同士を接近させて折り畳むように回動する請求項１または２に記載の折り畳みベッド。
【請求項４】
一対の前記保持部材は、前記寝床部材を拡げた状態から前記両端部に沿って折り畳むように回動する請求項１または２に記載の折り畳みベッド。
【手続補正２】
【補正対象書類名】明細書
【補正対象項目名】０００６
【補正方法】変更
【補正の内容】
【０００６】
本発明の前記目的は、一対の支持体と、一対の前記支持体の間に支持された一対の保持部材と、一対の前記保持部材に取り付けられた寝床部材とを備え、一対の前記保持部材は、一対の前記支持体に回動可能に取り付けられており、前記寝床部材を揺動可能に保持し、前記寝床部材は、両端部が一対の前記保持部材に取り付けられる可撓性のシート体からなり、一対の前記保持部材は、前記寝床部材を拡げた状態を維持できるように一対の前記支持体に係止されると共に、前記シート体を折り畳むように回動し、一対の前記支持体は、取付部を有する本体と、前記本体の両側に配置された一対の可動体とをそれぞれ備え、前記各取付部の間に一対の前記保持部材を回動可能に支持しており、一対の前記可動体は、不使用時に一対の前記保持部材を挟持するように、前記本体に対して回動可能に設けられている折り畳みベッドにより達成される。
【手続補正３】
【補正対象書類名】明細書
【補正対象項目名】０００７
【補正方法】変更
【補正の内容】
【０００７】
あるいは、本発明の前記目的は、一対の支持体と、一対の前記支持体の間に支持された一対の保持部材と、一対の前記保持部材に取り付けられた寝床部材とを備え、一対の前記保持部材は、一対の前記支持体に回動可能に取り付けられており、前記寝床部材を揺動可能に保持し、前記寝床部材は、両端部が一対の前記保持部材に取り付けられる可撓性のシート体からなり、一対の前記保持部材は、前記寝床部材を拡げた状態を維持できるように一対の前記支持体に係止されると共に、前記シート体を折り畳むように回動し、前記支持体は、前記保持部材と係合する移動可能な係止部材を備えており、前記係止部材の移動によって前記保持部材の傾斜角度を調整することができる折り畳みベッドにより達成される。
【手続補正４】
【補正対象書類名】明細書
【補正対象項目名】０００８
【補正方法】変更
【補正の内容】
【０００８】
これらの折り畳みベッドにおいて、一対の前記保持部材は、前記寝床部材を拡げた状態から前記両端部同士を接近させて折り畳むように回動することが好ましい。
【手続補正５】
【補正対象書類名】明細書
【補正対象項目名】０００９
【補正方法】変更
【補正の内容】
【０００９】
あるいは、一対の前記保持部材は、前記寝床部材を拡げた状態から前記両端部に沿って折り畳むように回動することが好ましい。